(57)【要約】【課題】有機発光ダイオードディスプレイの電圧駆動型マルチトランジスタ画素設計の最適化方法。【解決手段】画素設計を行い、設計方式は電圧駆動型のＯＬＥＤディスプレイマルチトランジスタ画素を主体とし、設計した電圧駆動型のＯＬＥＤディスプレイマルチトランジスタ画素に対して理論分析を行い、該理論分析は少なくとも一つの関係モデル式を用いて最小誤差制御標的を得、回路シュミレート実験を行い、上述の理論分析ステップで作成した該ＯＬＥＤを駆動する最小誤差制御標的の最適化結果に対して、対比判断し、最適化効果に符合するか否かをシュミレートし、最適化効果に符合するなら、テスト装置回路レイアウトを行い、符合しなければ制御標的を微幅改修し並びに若干回、以上のステップを重複して行い、最適化効果に符合する設計を得る。【選択図】　　　　図４
2004037828.tif 000002
【特許請求の範囲】
【請求項１】
有機発光ダイオードディスプレイの電圧駆動型マルチトランジスタ画素設計の最適化方法において、
（ａ）画素設計を行い、設計方式は電圧駆動型の有機発光ダイオードディスプレイマルチトランジスタ画素を主体となす、
（ｂ）以上により設計した電圧駆動型の有機発光ダイオードディスプレイマルチトランジスタ画素に対して理論分析を行い、この理論分析は少なくとも一つの関係式を用いて最小誤差制御標的を得て、最適化の根拠となす、
以上のステップを具えたことを特徴とする、有機発光ダイオードディスプレイの電圧駆動型マルチトランジスタ画素設計の最適化方法。
【請求項２】
請求項１に記載の有機発光ダイオードディスプレイの電圧駆動型マルチトランジスタ画素設計の最適化方法において、（ｂ）のステップの後、（ｃ）のステップとして、回路シュミレート実験を行い、理論分析ステップで作成した該有機発光ダイオードを駆動する最小誤差の最適化結果に対して対比判断を行い、最適化効果に符合するかをシュミレートするステップを含むことを特徴とする、有機発光ダイオードディスプレイの電圧駆動型マルチトランジスタ画素設計の最適化方法。
【請求項３】
請求項２に記載の有機発光ダイオードディスプレイの電圧駆動型マルチトランジスタ画素設計の最適化方法において、（ｃ）のステップで、シュミレート結果が、最適化効果に符合する時、さらに（ｄ１）のステップとして、テスト装置有機発光ダイオードディスプレイの電圧駆動型マルチトランジスタ画素設計の回路レイアウト、すなわちテストキーレイアウトを行うことを特徴とする、有機発光ダイオードディスプレイの電圧駆動型マルチトランジスタ画素設計の最適化方法。
【請求項４】
請求項２に記載の有機発光ダイオードディスプレイの電圧駆動型マルチトランジスタ画素設計の最適化方法において、（ｃ）のステップで、シュミレート結果が、最適化効果に符合しない時、さらに（ｄ２）のステップとして、制御標的を微幅改修し並びに若干回、ステップ（ａ）からステップ（ｃ）を重複して実行し、最適化効果に符合する最小誤差制御標的の設計を得ることを特徴とする、有機発光ダイオードディスプレイの電圧駆動型マルチトランジスタ画素設計の最適化方法。
【請求項５】
請求項１に記載の有機発光ダイオードディスプレイの電圧駆動型マルチトランジスタ画素設計の最適化方法において、（ｂ）のステップの理論分析が以下の（ｂ１）から（ｂ４）ステップ、即ち、
（ｂ１）　有機発光ダイオードを駆動する出力電流（Ｉｏ）と入力電圧（Ｖｉｎ）に対する関係モデル式を設計して、出力電流（Ｉｏ）と入力電圧（Ｖｉｎ）を関連解釈するものとなす、
（ｂ２）　電子移動率（μ）の変化値に対する関係モデル式、及びトランジスタ電圧の変化値に対する関係モデル式をそれぞれ設計して、それぞれ電子移動率の変化値に対し、及びトランジスタ電圧の変化値に対し関連解釈を行うものとなす、
（ｂ３）　有機発光ダイオードを駆動する出力電流の変化値の電子移動率変化値及びトランジスタの電圧変化値に対する関係モデル式を設計して、有機発光ダイオード駆動の出力電流の変化値の電子移動率変化値及びトランジスタ電圧の変化値に対する関連解釈を行うものとなす、
（ｂ４）　上述の（ｂ１）から（ｂ３）で得られた関係モデル式を利用し、有機発光ダイオードを駆動する最小誤差制御標的を得る、
以上のステップを具えたことを特徴とする、有機発光ダイオードディスプレイの電圧駆動型マルチトランジスタ画素設計の最適化方法。
【発明の詳細な説明】
【０００１】
【発明の属する技術分野】
本発明は一種の有機発光ダイオードディスプレイの電圧駆動型マルチトランジスタ画素設計の最適化方法に係り、特に、最適化の設計運用方式を利用し、電圧駆動の優勢を保持し、最低電流誤差及び画素均一度アップを達成し、これにより表示品質を向上する方法に関する。
【０００２】
【従来の技術】
コンピュータ周辺装置に関し、ディスプレイは重要な出力装置の一つであり、特に近年、周辺装置の外形に軽薄短小が要求される状況にあって、ＴＦＴ−ＬＣＤは広く利用され、並びに軽薄短小のディスプレイ及び関係技術がいずれも大量に開発研究されている。そのうち、ディスプレイパネルの駆動回路は、ディスプレイ画像品質の優劣に関係し、全体のディスプレイに対して非常に重要である。
【０００３】
現在、最も広く使用されているマトリクス式フラットディスプレイはＴＦＴ−ＬＣＤとされ、それは電圧信号を利用してＴＦＴの導通を制御し、及び、表示のカラーと輝度を制御する。近年、有機発光ダイオード（ｏｒｇａｎｉｃ　ｌｉｇｈｔ　ｅｍｉｓｓｉｏｎ　ｄｉｏｄｅ，ＯＬＥＤ）が新形態の表示技術とされ、それは異なる種類の有機分子の間にある異なるエネルギー帯を利用し、異なるエネルギー帯の電子とホールが結合する時に、異なるエネルギー量を発射することができ、名和地異なる色の発光光源とさ、一般のＴＦＴ−ＬＣＤディスプレイ中で使用されているバックライトが不要で、これによりディスプレイの全体外観厚さを減らし並びに製造コストを減らすことができる。
【０００４】
最近の比較的新しい技術の有機発光ダイオードである、アクティブマトリクスＯＬＥＤ（ＡＭＯＬＥＤ）は、その長所がセルフ発光で、当然バックライトモジュール不要で、且つカラーフィルタも不要で、さらに少なくともＴＦＴ−ＬＣＤと同じ多くの長所を有している。例えば、高コントラスト比（１００：１）、暗いところと明るいところでの画質がいずれも優良であること、フルカラー化可能であること、大寸法化が可能で且つ撓み性を有すること、プラスチック基板を使用できること、などである。これだけでなく、さらに、ＴＦＴ−ＬＣＤより優れたところとして、例えば、構造が簡単で、耐用性が高く、低製造コストで、低駆動電圧（僅かに３〜９Ｖ）で節電でき、１６０度以上の広視角で、高輝度（１００ｃｄ／ｍ２　）、反応速度が速く（１０μｓ）等を有している。このことから、アクティブマトリクスＯＬＥＤは現在のディスプレイ業界が注意するに値する発展潜力を有する技術の一つである。
【０００５】
ディスプレイの画像品質を向上するためには、画像画素の駆動の安定、一致はキー技術の一つであり、有機発光ダイオードの明暗度はダイオードに入力される電流の大きさにより制御され、これにより高品質表示を達成する必要がある時は、マッチングする電流出力が必要である。現在、ディジタル式駆動及びアナログ式駆動の二種類があり、そのうち、ディジタル式駆動は回路の複雑度が高く、現在の技術は十分には成熟しておらず、僅かに少数の期刊論文に発表されているだけである。アナログ式駆動は比較的普及成熟した技術であり、すでに商品化されており、それはまた、二種類に細分される。即ち、その一つは、電圧駆動型（ｖｏｌｔａｇｅ　ｄｒｉｖｉｎｇ／ｐｒｏｇｒａｍｍｉｎｇ）であり、トランジスタ数は二つ以上で、図１に示されるように、その作動方式を簡単に説明すると、入力電圧（Ｖｉｎ）を利用し、トランジスタ２２、２１（即ち図示されるＭ１、Ｍ２）を連通させて電流（Ｉｏ）を出力させ、有機発光ダイオード２０を駆動し、画像画素の駆動を安定するよう制御する。もう一つは電流駆動型（ｃｕｒｒｅｎｔ　ｄｒｉｖｉｎｇ／ｐｒｏｇｒａｍｍｉｎｇ）であり、トランジスタ数は四つ以上で、図２に示されるものは四つのトランジスタ、図３に示されるものは六個のトランジスタとされる。四つのトランジスタの作動方式は書き込み（ｗｒｉｔｅ　ｓｃａｎ）及び削除（ｅｒａｓｅ　ｓｃａｎ）動作を含み、電流を利用してデータ線（ｄａｔａ　ｌｉｎｅ）３５を駆動し、各トランジスタ３１、３２、３３、３４（即ち図示されるＴ１、Ｔ２、Ｔ３、Ｔ４）の使用可能／不可能（ｅｎａｂｌｅ／ｄｉｓａｂｌｅ）の状態を制御し、コンデンサ３６（Ｃ）のデータ書き込み或いは抹消を決定し、有機発光ダイオード電流（ＩＯＬＥＤ）を出力させ有機発光ダイオード３０を駆動し、画像画素の駆動を安定するよう制御する。六個のトランジスタの作動方式は複雑であるが、設計は電流を利用してデータ線を駆動し、各トランジスタ４１、４２、４３、４４、４５、４６（即ち図示されるＭ１、Ｍ２、Ｍ３、Ｍ４、Ｍｂ２、Ｍｂ４）の使用可能／不可能の状態を制御し、電流を出力させて有機発光ダイオード４０を駆動し、画像画素の駆動の安定制御を達成する。
【０００６】
電圧駆動型及び電流駆動型の両者を比較すると、電圧駆動型の画素駆動技術の長所は以下のとおりである。即ち、既存の一般のＴＮ／ＳＴＮ型、アモルファスシリコン、ポリシリコンＴＦＴ−ＬＣＤ工業が直接サポートでき、且つ設計されるＴＦＴの数が少なく、一般には４個より少なく、ゆえに設計及びレイアウトが比較的簡単で複雑でなく、歩留りが顕著に高くなり、開口率が高く、これにより高い輝度を有することである。しかし、その工程に対する変異性は良くなく、応用範囲が比較的狭く、且つ電流誤差が高過ぎ、このために画像の不均一の厳重な現象を形成する欠点があった。一方、電流駆動型の画素駆動技術の長所はこれと反対で、その工程に対する変異性は良好で、且つ電流誤差が低く、画像を均一に維持する優良な現象を形成するが、一般のＴＮ／ＳＴＮ型、アモルファスシリコン及びポリシリコンＴＦＴ−ＬＣＤ工業は直接サポート不能である。且つ設計されるＴＦＴ数は比較的多く（一般には四個から七個）、ゆえに大幅に設計及びレイアウトの複雑度が増加し、歩留りが著しく下がり、開口率が低く、且つ輝度が低い。
【０００７】
【発明が解決しようとする課題】
総合すると、周知のアナログ式駆動は電圧駆動型或いは電流駆動型のいずれの技術でもそれぞれがその長所を有しているが、しかしいずれもがその克服できない欠点も有しており、完全ではない。このため、本発明は電圧駆動型の画素駆動技術を以て、その長所を保留し、さらに既存の欠点を改善し、更に良好な効果を有する有機発光ダイオードディスプレイの電圧駆動型マルチトランジスタ画素設計の最適化方法を達成する。
【０００８】
本発明の主要な目的は、一種の有機発光ダイオードディスプレイの電圧駆動型マルチトランジスタ画素設計の最適化方法を提供することにあり、それは、特殊設計の最適化シュミレートフローを利用し、実際の回路レイアウトを行う前に、最適化の効果を得られる設計を行ってからレイアウトを行い、直接最適化表示効果の有機発光ダイオードディスプレイを完成できるようにする。
【０００９】
本発明の次の目的は、一種の有機発光ダイオードディスプレイの電圧駆動型マルチトランジスタ画素設計の最適化方法を提供することにあり、それは電圧駆動の既存の長所を保有できるだけでなく、電流駆動型の低電流誤差を達成することができ、画像表示品質の向上の目的を達成する。
【００１０】
【課題を解決するための手段】
請求項１の発明は、有機発光ダイオードディスプレイの電圧駆動型マルチトランジスタ画素設計の最適化方法において、
（ａ）画素設計を行い、設計方式は電圧駆動型の有機発光ダイオードディスプレイマルチトランジスタ画素を主体となす、
（ｂ）以上により設計した電圧駆動型の有機発光ダイオードディスプレイマルチトランジスタ画素に対して理論分析を行い、この理論分析は少なくとも一つの関係式を用いて最小誤差制御標的を得て、最適化の根拠となす、
以上のステップを具えたことを特徴とする、有機発光ダイオードディスプレイの電圧駆動型マルチトランジスタ画素設計の最適化方法としている。
請求項２の発明は、請求項１に記載の有機発光ダイオードディスプレイの電圧駆動型マルチトランジスタ画素設計の最適化方法において、（ｂ）のステップの後、（ｃ）のステップとして、回路シュミレート実験を行い、理論分析ステップで作成した該有機発光ダイオードを駆動する最小誤差の最適化結果に対して対比判断を行い、最適化効果に符合するかをシュミレートするステップを含むことを特徴とする、有機発光ダイオードディスプレイの電圧駆動型マルチトランジスタ画素設計の最適化方法としている。
請求項３の発明は、請求項２に記載の有機発光ダイオードディスプレイの電圧駆動型マルチトランジスタ画素設計の最適化方法において、（ｃ）のステップで、シュミレート結果が、最適化効果に符合する時、さらに（ｄ１）のステップとして、テスト装置有機発光ダイオードディスプレイの電圧駆動型マルチトランジスタ画素設計の回路レイアウト、すなわちテストキーレイアウトを行うことを特徴とする、有機発光ダイオードディスプレイの電圧駆動型マルチトランジスタ画素設計の最適化方法としている。
請求項４の発明は、請求項２に記載の有機発光ダイオードディスプレイの電圧駆動型マルチトランジスタ画素設計の最適化方法において、（ｃ）のステップで、シュミレート結果が、最適化効果に符合しない時、さらに（ｄ２）のステップとして、制御標的を微幅改修し並びに若干回、ステップ（ａ）からステップ（ｃ）を重複して実行し、最適化効果に符合する最小誤差制御標的の設計を得ることを特徴とする、有機発光ダイオードディスプレイの電圧駆動型マルチトランジスタ画素設計の最適化方法としている。
請求項５の発明は、請求項１に記載の有機発光ダイオードディスプレイの電圧駆動型マルチトランジスタ画素設計の最適化方法において、（ｂ）のステップの理論分析が以下の（ｂ１）から（ｂ４）ステップ、即ち、
（ｂ１）　有機発光ダイオードを駆動する出力電流（Ｉｏ）と入力電圧（Ｖｉｎ）に対する関係モデル式を設計して、出力電流（Ｉｏ）と入力電圧（Ｖｉｎ）を関連解釈するものとなす、
（ｂ２）　電子移動率（μ）の変化値に対する関係モデル式、及びトランジスタ電圧の変化値に対する関係モデル式をそれぞれ設計して、それぞれ電子移動率の変化値に対し、及びトランジスタ電圧の変化値に対し関連解釈を行うものとなす、
（ｂ３）　有機発光ダイオードを駆動する出力電流の変化値の電子移動率変化値及びトランジスタの電圧変化値に対する関係モデル式を設計して、有機発光ダイオード駆動の出力電流の変化値の電子移動率変化値及びトランジスタ電圧の変化値に対する関連解釈を行うものとなす、
（ｂ４）　上述の（ｂ１）から（ｂ３）で得られた関係モデル式を利用し、有機発光ダイオードを駆動する最小誤差制御標的を得る、
以上のステップを具えたことを特徴とする、有機発光ダイオードディスプレイの電圧駆動型マルチトランジスタ画素設計の最適化方法としている。
【００１１】
【発明の実施の形態】
本発明の有機発光ダイオードディスプレイの電圧駆動型マルチトランジスタ画素設計の最適化方法は以下のステップを以て完成される。即ち、
（ａ）画素設計を行い、設計方式は電圧駆動型のＯＬＥＤディスプレイマルチトランジスタ画素を主体とする、
（ｂ）設計した電圧駆動型のＯＬＥＤディスプレイマルチトランジスタ画素に対して理論分析を行い、該理論分析は少なくとも一つの関係モデル式を用いて最小誤差（ｍｉｎｉｍｕｍ　ｅｒｒｏｒ）の制御標的（ｃｏｎｔｒｏｌ　ｃａｃｔｏｒ）を得る、
（ｃ）回路シュミレート実験を行い、上述の理論分析ステップで作成した該ＯＬＥＤを駆動する最小誤差制御標的の最適化結果に対して、対比判断し、最適化効果に符合するか否かをシュミレートする。
【００１２】
ステップ（ｃ）でシュミレート結果が最適化効果に符合すれば、テスト装置ＯＬＥＤディスプレイの電圧駆動型マルチトランジスタ画素設計回路レイアウト（ｔｅｓｔｋｅｙ　レイアウト）を行い、最適化効果に符合しなければさらに一つのステップ、即ち、制御標的を微幅改修し並びに若干回、ステップ（ａ）から（ｃ）を重複して、最適化効果に符合する最小誤差制御標的の設計を得る。
【００１３】
そのうち、最適化とは、該有機発光ダイオードディスプレイの電圧駆動型マルチトランジスタ画素設計が最低電流誤差及び高い均一度を達成できることを指す。
【００１４】
【実施例】
本発明は電圧駆動型の画素駆動技術を以て、その長所を保留し、さらに既存の欠点を改善し、更に良好な効果を有する有機発光ダイオードディスプレイの電圧駆動型マルチトランジスタ画素設計の最適化方法を達成し、これにより表示品質を高める。
【００１５】
図４を参照されたい。図４は本発明の、有機発光ダイオードディスプレイの電圧駆動型マルチトランジスタ画素設計の最適化方法の好ましい実施例のフローチャートである。まず、画素設計（ｐｉｘｅｌ　ｄｅｓｉｇｎ）を行い、設計方式は電圧駆動型のＯＬＥＤディスプレイマルチトランジスタ画素を主体とし、トランジスタ数は二つ以上とされるが、それに限定されるわけではなく、実際の必要に応じて一般には二つから四つの間に設計され、入力電圧（Ｖｉｎ）を利用して若干のトランジスタを連通させて電流（Ｉｏ）を出力し、有機発光ダイオードを駆動し、画像画素の駆動安定の制御を行う。前述したような電圧駆動型マルチトランジスタ画素の設計は、トランジスタ数及び有機発光ダイオードが実際の必要に応じて設計され、この技術に習熟した者であれば容易に設計でき、本発明の重点ではないため、説明を省略する。
【００１６】
以下に本発明の重点の一つを述べる。以上により設計された電圧駆動型の有機発光ダイオードディスプレイマルチトランジスタ画素に対して理論分析を行う。このステップは、以下のステップを具えている。
（ａ）有機発光ダイオードを駆動する出力電流（Ｉｏ）と入力電圧（Ｖｉｎ）の関係モデル式ｆｕｎ　１を設計する。
Ｉｏ＝ｆｕｎ　１（Ｖｉｎ）＝μＣｏｘＷ　／　Ｌ（Ｖｇｓ−Ｖｔ）Ｖｄｓ
そのうち、Ｖｉｎ：　入力電圧
Ｃｏｘ：　単位面積電容
Ｗ：　トランジスタの幅（単位不限定）
Ｌ：　トランジスタの長さ（単位不限定）
Ｖｇｓ：　トランジスタゲートとソースの電圧降下
Ｖｔ：　トランジスタの電圧
Ｖｄｓ：　トランジスタのドレインとソースの電圧降下
この関係モデル式の作用は出力電流（Ｉｏ）と入力電圧（Ｖｉｎ）を関連させて解釈するものであり、上述の式は僅かにその一つの実施例であり、当然、出力電流（Ｉｏ）と入力電圧（Ｖｉｎ）が発生する関係モデル式がいずれも応用可能であるが、ここでは一々列挙しない。
（ｂ）電子移動率（Ｍｏｂｉｌｉｔｙ，μで表示）の変化値関係モデル式、及びトランジスタ電圧の変化値の関係モデル式を設計する。
μ＝μｏ＋△μ，　Ｖｔ＝Ｖｔｏ＋△Ｖｔ
そのうち、μ：　電子移動率総計値
μｏ：　電子移動率開始値
△μ：　電子移動率変化値
Ｖｔ：　トランジスタの電圧総計値
Ｖｔｏ：　トランジスタの電圧開始値
△Ｖｔ：　トランジスタの電圧変化値
この関係モデル式の作用は電子移動率の変化値、及びトランジスタ電圧の変化値に対して、それぞれ関連解釈を行うことにあり、上述の式は僅かにそのうちの一つの実施例にすぎない。
（ｃ）有機発光ダイオードを駆動する出力電流変化値の電子移動率変化値及びトランジスタの電圧変化値に対する関係モデル式ｆｕｎ　２を設計する。
△Ｉｏ＝ｆｕｎ　２（△μ，△Ｖｔ）＝
ＣｏｘＷ　／　ＬＶｄｓ（−μｏ△Ｖｔ＋△μＶｇｓ−△μＶｔｏ−△μ△Ｖｔ）
そのうち、△Ｉｏ：　有機発光ダイオードを駆動する出力電流の変化値
△μ：　電子移動率変化値
μｏ：　電子移動率開始値
△Ｖｔ：　トランジスタの電圧変化値
Ｃｏｘ：　単位面積電容
Ｗ：　トランジスタの幅（単位不限定）
Ｌ：　トランジスタの長さ（単位不限定）
Ｖｄｓ：　トランジスタのドレインとソースの電圧降下
μｏ：　電子移動率開始値
Ｖｇｓ：　トランジスタゲートとソースの電圧降下
この関係モデル式の作用は、有機発光ダイオードを駆動する出力電流の変化値の電子移動率変化値及びトランジスタの電圧変化値に対する関係モデル式に対して関連解釈を行うことにある。
（ｄ）上述の関係モデル式を利用して、有機発光ダイオードを駆動する出力電流の変化値（△Ｉｏ）を得て、この出力電流変化値（△Ｉｏ）を最小誤差（ｍｉｎｉｍｕｍ　ｅｒｒｏｒ）の制御標的（ｃｏｎｔｒｏｌ　ｃａｃｔｏｒ）となし、すなわち、有機発光ダイオード駆動に対して、画像画素の駆動安定制御の最適化表示となす。
【００１７】
理論分析完成後、続いて回路シュミレート実験を行い、回路シュミレートソフト、例えば集積回路シュミレートソフト（ｓｉｍｕｌａｔｉｏｎ　ｐｒｏｇｒａｍ　ｗｉｔｈ　Ｉｎｔｅｇｒａｔｅｄ　ｃｉｒｃｕｉｔ　Ｅｍｐｈａｓｉｓ，略称ｓｐｉｃｅ）を利用し、上述の理論分析ステップで作成した有機発光ダイオード駆動の画像画素の駆動安定制御の最適化結果のシュミレート運転を行い、シュミレート運転に対して最適化効果に符合するか否かの対比判断を行い、すなわち、すでに最適化設計を達成したか否か、最低電流誤差まで下げられたか及び、均一度アップの効果を達成したか否かを対比判断する。
【００１８】
もし、回路シュミレートソフトが、作成した有機発光ダイオード駆動の画像画素の駆動安定制御の最適化結果に対してシュミレート運転して、最適化効果の要求を達していないと判断した時は、再びステップを開始し、上述の画素設計、理論分析を重複して行い、さらに回路シュミレート試験により最適化の効果を試験し、最適化要求を達成する。
【００１９】
もし、作成した有機発光ダイオード駆動の画像画素の駆動安定制御の最適化がすでにシュミレート運転の最適化効果を達成したなら、テスト装置回路レイアウト（ｔｅｓｔｋｅｙ　レイアウト）を行い、前述のすでに最適化を達成した運転シュミレートに依り、テスト装置有機発光ダイオードディスプレイの電圧駆動型マルチトランジスタ画素の回路レイアウトを行う。こうして、前述のステップの画素設計、理論分析、回路シュミレート試験のステップにより、有機発光ダイオードディスプレイの電圧駆動型マルチトランジスタ画素設計の最適化モデルを獲得し、このモデルに依り設計された回路レイアウトは最良の低電流誤差及び高い均一度の効果を達成でき、有機発光ダイオードディスプレイの製品歩留り及び信頼度を高めることができる。
【００２０】
最後に、図５を参照されたい。この図は本発明の最適化方法の実施例を応用したものと周知の技術の効果比較図である。そのうち、縦軸は電流誤差を示す。横軸は有機発光ダイオードディスプレイの単一画素中に含まれるＴＦＴ数を示し、Ｔを以て表示する。図示されるように、伝統的な電圧駆動型の有機発光ダイオードディスプレイのトランジスタ数は二つから四つの間とされ、その設計及びレイアウトは比較的複雑度が低く、歩留りが高く、透光率が高いが、工程に対する変異性は良好でなく、電流誤差が高過ぎ、画像不均一を形成する。電圧駆動型の有機発光ダイオードディスプレイのトランジスタ数が四個以上、或いは六個以上の場合、その工程に対する変異性は比較的良好で、電流誤差が低く、画像を均一に維持するが、複雑度が高くなり、歩留りが低くなり、透光率が低くなる欠点を有する。
【００２１】
本発明の最適化を実施していない電圧駆動型の有機発光ダイオードディスプレイは、その分布エリアがいずれも図中の「多電流誤差エリア」にあり、ポリシリコン或いはアモルファスシリコンディスプレイのいずれであっても、本発明の最適化を行わないものは、いずれも高電流誤差の状況を回避できない。しかし、本発明の最適化工程の後、あきらかに、全ての電圧駆動型の有機発光ダイオードディスプレイの電流誤差は電流駆動型のディスプレイのように、或いはそれ以上に低くなる。これにより、本発明の有機発光ダイオードディスプレイの電圧駆動型マルチトランジスタ画素設計の最適化方法は保有トランジスタ数が少なく、その設計及びレイアウトの複雑度が低く、歩留りが高く、透光率が高い既存の長所を有するだけでなく、工程に対する変異性が良好で、電流誤差が低く、画像を均一に維持できる等の電流駆動型の長所も兼ね具え、画像表示品質を向上する目的を達成する。
【００２２】
【発明の効果】
総合すると、本発明は一種の有機発光ダイオードディスプレイの電圧駆動型マルチトランジスタ画素設計の最適化方法とされ、特殊設計の最適化シュミレートフローを用いて、実際の回路レイアウトを行う前に、最適化の効果を達成する設計を行い、さらにレイアウトを行い、直接、最適化した表示効果を有する有機発光ダイオードディスプレイの電圧駆動型マルチトランジスタ画素設計を完成できる。本発明は少なくとも以下の長所を有している。
１．保有するトランジスタ数が少なく、その設計及びレイアウトの複雑度が低く、歩留りが高く、電流誤差が低く、画像を均一に維持できる電流駆動型の長所を保留し、画像表示品質を高める目的を達成し、量産時に信頼度を高め且つ歩留りを高めることができる。
２．提出された最適化方法は明瞭で複雑でなく、この技術に習熟した者であれば、本発明の精神に依りこれを実施でき、同様に効果を達成でき、操作がはっきりしており且つ信頼できる。
３．応用範囲が広く、解決できる最適化問題は極めて広く、例えばフラットディスプレイパネル工業、液晶ディスプレイ、アクティブ／パッシブ有機発光ダイオードディスプレイと低温ポリシリコン、発行ダイオード、プロジェクタ、半導体工業、ＣＭＯＳセンサ工業及びＴＦＴ工程等は、いずれも本発明の方法を以て実施でき、且つ既存のＴＦＴ液晶ディスプレイ工業が直接サポートできる。
【図面の簡単な説明】
【図１】周知の技術の、二つのトランジスタの電圧駆動型ＯＬＥＤ設計を示す回路図である。
【図２】周知の技術の、四つのトランジスタの電流駆動型ＯＬＥＤ設計を示す回路図である。
【図３】周知の技術の、六つのトランジスタの電流駆動型ＯＬＥＤ設計を示す回路図である。
【図４】本発明の、有機発光ダイオードディスプレイの電圧駆動型マルチトランジスタ画素設計の最適化方法の好ましい実施例のフローチャートである。
【図５】本発明の最適化方法の実施例を応用したものと従来の技術の効果比較図である。
【符号の説明】
２０、３０、４０　有機発光ダイオード
２１、２２、３１、３２、３３、３４、４１、４２、４３、４４、４５、４６
トランジスタ
３５　データ線
３６　コンデンサ
【図１】
2004037828.tif 000003
【図２】
2004037828.tif 000004
【図３】
2004037828.tif 000005
【図４】
2004037828.tif 000006
【図５】
2004037828.tif 000007